【手続補正書】
【提出日】平成20年9月19日(2008.9.19)
【手続補正１】
【補正対象書類名】明細書
【補正対象項目名】発明の名称
【補正方法】変更
【補正の内容】
【発明の名称】画像再生装置、画像再生装置の制御方法、プログラム、記憶媒体
【手続補正２】
【補正対象書類名】明細書
【補正対象項目名】特許請求の範囲
【補正方法】変更
【補正の内容】
【特許請求の範囲】
【請求項１】  記録媒体に記録された画像データを表示する表示手段と、
前記表示手段によって表示される画像データに対応する付帯情報の処理を指示するための複数の項目を有するグラフィカル・ユーザ・インターフェースを前記表示手段に表示する制御手段と、
前記グラフィカル・ユーザ・インターフェースの表示を指示する指示手段とを有し、
前記制御手段は、前記指示手段による指示に応じて、
前記表示手段によって表示される画像データに対応する付帯情報が前記記録媒体に記録されていない場合には、前記付帯情報の記録を指示するための項目が選択された状態で前記グラフィカル・ユーザ・インターフェースを表示し、
前記表示手段によって表示される画像データに対応する付帯情報が前記記録媒体に記録されている場合には、前記付帯情報の記録を指示するための項目以外の項目が選択された状態で前記グラフィカル・ユーザ・インターフェースを表示することを特徴とする画像再生装置。
【請求項２】  前記付帯情報は音声データであって、前記制御手段は、前記指示手段による指示に応じて、前記表示手段によって表示される画像データに対応する音声データが前記記録媒体に記録されている場合には音声データの再生を指示するための項目が選択された状態で前記グラフィカル・ユーザ・インターフェースを表示することを特徴とする請求項１記載の画像再生装置。
【請求項３】  前記付帯情報は音声データであって、前記制御手段は、前記指示手段による指示に応じて、前記表示手段によって表示される画像データに対応する音声データが前記記録媒体に記録されていない場合には音声データの記録を指示するための項目が選択された状態で前記グラフィカル・ユーザ・インターフェースを表示することを特徴とする請求項１記載の画像再生装置。
【請求項４】  前記制御手段は、前記グラフィカル・ユーザ・インターフェースを、選択、非選択、実行中の３状態が区別できるように表示することを特徴とする請求項１記載の画像再生装置。
【請求項５】  前記グラフィカル・ユーザ・インターフェースの複数の項目に対応する機能の実行を指示する実行指示手段を有することを特徴とする請求項４記載の画像再生装置。
【請求項６】  前記制御手段は、実行指示手段からの指示に応じて、前記選択された機能を停止を指示するための項目が選択された状態に前記グラフィカル・ユーザ・インターフェースを表示することを特徴とする請求項５記載の画像再生装置。
【請求項７】  請求項１ないし請求項６のいずれか１項に記載の画像再生装置において、前記画像データはＪＰＥＧ形式の画像ファイルに格納されていることを特徴とする画像再生装置。
【請求項８】  請求項１ないし請求項６のいずれか１項に記載の画像再生装置において、前記音声データはＷＡＶＥ形式であることを特徴とする画像再生装置。
【請求項９】  記録媒体に記録された画像データを表示する表示工程と、
前記表示工程によって表示される画像データに対応する付帯情報の処理を指示するための複数の項目を有するグラフィカル・ユーザ・インターフェースを前記表示工程で表示する制御工程と、
前記グラフィカル・ユーザ・インターフェースの表示を指示する指示工程とを有し、
前記制御工程は、前記指示工程による指示に応じて、
前記表示工程によって表示される画像データに対応する付帯情報が前記記録媒体に記録されていない場合には、前記付帯情報の記録を指示するための項目が選択された状態で前記グラフィカル・ユーザ・インターフェースを表示し、
前記表示工程によって表示される画像データに対応する付帯情報が前記記録媒体に記録されている場合には、前記付帯情報の記録を指示するための項目以外の項目が選択された状態で前記グラフィカル・ユーザ・インターフェースを表示することを特徴とする画像再生装置の制御方法。
【請求項１０】 前記付帯情報は音声データであって、前記制御工程は、前記指示工程による指示に応じて、前記表示工程によって表示される画像データに対応する音声データが前記記録媒体に記録されている場合には音声データの再生を指示するための項目が選択された状態で前記グラフィカル・ユーザ・インターフェースを表示することを特徴とする請求項９記載の画像再生装置の制御方法。
【請求項１１】 前記付帯情報は音声データであって、前記制御工程は、前記指示工程による指示に応じて、前記表示工程によって表示される画像データに対応する音声データが前記記録媒体に記録されていない場合には音声データの記録を指示するための項目が選択された状態で前記グラフィカル・ユーザ・インターフェースを表示することを特徴とする請求項９記載の画像再生装置の制御方法。
【請求項１２】  請求項９ないし請求項１１のいずれか１項に記載の画像再生装置の制御方法を実現するためのプログラム。
【請求項１３】  請求項１２に記載のプログラムを格納したことを特徴とする記憶媒体。
【手続補正３】
【補正対象書類名】明細書
【補正対象項目名】０００４
【補正方法】変更
【補正の内容】
【０００４】
本発明は、このような状況のもとなされたもので、少ない操作部材で音声の録音、再生を行う際に、利用者の操作をより簡単に行える画像再生装置、画像再生装置の制御方法、プログラム、記憶媒体を提供することを課題とするものである。なお、本明細書では、“音声”なる用語は、人の声に限らず、音全般を含む意味で用いている。
【手続補正４】
【補正対象書類名】明細書
【補正対象項目名】０００５
【補正方法】変更
【補正の内容】
【０００５】
【課題を解決するための手段】
前記課題を解決するため、本発明では、画像再生装置を次の（１）ないし（８）のとおりに構成し、画像再生装置の制御方法を次の（９）ないし（１１）のとおりに構成し、プログラムを次の（１２）のとおりに構成し、記憶媒体を次の（１３）のとおりに構成する。
（１）記録媒体に記録された画像データを表示する表示手段と、
前記表示手段によって表示される画像データに対応する付帯情報の処理を指示するための複数の項目を有するグラフィカル・ユーザ・インターフェースを前記表示手段に表示する制御手段と、
前記グラフィカル・ユーザ・インターフェースの表示を指示する指示手段とを有し、
前記制御手段は、前記指示手段による指示に応じて、
前記表示手段によって表示される画像データに対応する付帯情報が前記記録媒体に記録されていない場合には、前記付帯情報の記録を指示するための項目が選択された状態で前記グラフィカル・ユーザ・インターフェースを表示し、
前記表示手段によって表示される画像データに対応する付帯情報が前記記録媒体に記録されている場合には、前記付帯情報の記録を指示するための項目以外の項目が選択された状態で前記グラフィカル・ユーザ・インターフェースを表示する画像再生装置。
（２）前記付帯情報は音声データであって、前記制御手段は、前記指示手段による指示に応じて、前記表示手段によって表示される画像データに対応する音声データが前記記録媒体に記録されている場合には音声データの再生を指示するための項目が選択された状態で前記グラフィカル・ユーザ・インターフェースを表示する前記（１）記載の画像再生装置。
（３）前記付帯情報は音声データであって、前記制御手段は、前記指示手段による指示に応じて、前記表示手段によって表示される画像データに対応する音声データが前記記録媒体に記録されていない場合には音声データの記録を指示するための項目が選択された状態で前記グラフィカル・ユーザ・インターフェースを表示する前記（１）記載の画像再生装置。
（４）前記制御手段は、前記グラフィカル・ユーザ・インターフェースを、選択、非選択、実行中の３状態が区別できるように表示する前記（１）記載の画像再生装置。
（５）前記グラフィカル・ユーザ・インターフェースの複数の項目に対応する機能の実行を指示する実行指示手段を有する（４）記載の画像再生装置。
（６）前記制御手段は、実行指示手段からの指示に応じて、前記選択された機能を停止を指示するための項目が選択された状態に前記グラフィカル・ユーザ・インターフェースを表示する前記（５）記載の画像再生装置。
（７）前記（１）ないし（６）のいずれか１項に記載の画像再生装置において、前記画像データはＪＰＥＧ形式の画像ファイルに格納されている画像再生装置。
（８）前記（１）ないし（６）のいずれか１項に記載の画像再生装置において、前記音声データはＷＡＶＥ形式である画像再生装置。
（９）記録媒体に記録された画像データを表示する表示工程と、
前記表示工程によって表示される画像データに対応する付帯情報の処理を指示するための複数の項目を有するグラフィカル・ユーザ・インターフェースを前記表示工程で表示する制御工程と、
前記グラフィカル・ユーザ・インターフェースの表示を指示する指示工程とを有し、
前記制御工程は、前記指示工程による指示に応じて、
前記表示工程によって表示される画像データに対応する付帯情報が前記記録媒体に記録されていない場合には、前記付帯情報の記録を指示するための項目が選択された状態で前記グラフィカル・ユーザ・インターフェースを表示し、
前記表示工程によって表示される画像データに対応する付帯情報が前記記録媒体に記録されている場合には、前記付帯情報の記録を指示するための項目以外の項目が選択された状態で前記グラフィカル・ユーザ・インターフェースを表示する画像再生装置の制御方法。
（１０）前記付帯情報は音声データであって、前記制御工程は、前記指示工程による指示に応じて、前記表示工程によって表示される画像データに対応する音声データが前記記録媒体に記録されている場合には音声データの再生を指示するための項目が選択された状態で前記グラフィカル・ユーザ・インターフェースを表示する前記（９）記載の画像再生装置の制御方法。
（１１）前記付帯情報は音声データであって、前記制御工程は、前記指示工程による指示に応じて、前記表示工程によって表示される画像データに対応する音声データが前記記録媒体に記録されていない場合には音声データの記録を指示するための項目が選択された状態で前記グラフィカル・ユーザ・インターフェースを表示する前記（９）記載の画像再生装置の制御方法。
（１２）前記（９）ないし（１１）のいずれか１項に記載の画像再生装置の制御方法を実現するためのプログラム。
（１３）前記（１２）に記載のプログラムを格納した記憶媒体。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】